(57)【要約】【課題】照明パターンの受信に応じて照明制御を切り替えることが可能な照明装置およびプログラムを提供する。【解決手段】照明部と、受信部と、デフォルトの照明パターンに応じて、前記照明部の照明を制御する制御部と、を備え、前記制御部は、前記受信部により照明パターンを受信すると、前記デフォルトの照明パターンに応じた照明とは異なる照明制御を行う、照明装置。【選択図】図１
2014053180.tif 000002
【特許請求の範囲】
【請求項１】
照明部と、
受信部と、
デフォルトの照明パターンに応じて、前記照明部の照明を制御する制御部と、
を備え、
前記制御部は、前記受信部により照明パターンを受信すると、前記デフォルトの照明パターンに応じた照明とは異なる照明制御を行う、照明装置。
【請求項２】
前記制御部による前記デフォルトの照明パターンに応じた前記照明部の照明制御は、他の照明部の照明制御と略同期した照明制御である、請求項１に記載の照明装置。
【請求項３】
前記制御部は、前記受信部により受信した照明パターンに応じて、少なくとも照明のＯＮ／ＯＦＦ、照明の色、または照明の明るさを制御する、請求項１に記載の照明装置。
【請求項４】
前記デフォルトの照明パターンは、予め所定の記憶媒体に記憶されている、請求項１に記載の照明装置。
【請求項５】
前記照明装置は、オーディオ再生部をさらに備え、
前記受信部は、オーディオ信号を受信し、
前記制御部は、前記受信部により受信した前記オーディオ信号を前記オーディオ再生部から出力させるよう制御する、請求項１に記載の照明装置。
【請求項６】
前記照明装置は、オーディオ再生部をさらに備え、
前記受信部は、前記照明パターンとしてオーディオ信号を受信し、
前記制御部は、前記受信部により受信した前記オーディオ信号のパターンに応じて、前記照明部の照明を制御し、さらに前記オーディオ信号を前記オーディオ再生部から出力させるよう制御する、請求項１に記載の照明装置。
【請求項７】
前記受信部は、前記オーディオ信号と共に課金情報を受信し、
前記制御部は、前記受信部により受信した前記課金情報に基づいて、料金支払いが行われていることを確認できた場合、前記オーディオ信号のパターンに応じた照明制御および前記オーディオ信号の出力制御を行う、請求項６に記載の照明装置。
【請求項８】
前記照明装置は、スピーカ内蔵型の電球である、請求項６に記載の照明装置。
【請求項９】
前記受信部は、近傍にあるユーザの通信端末から前記照明パターンを受信する、請求項１に記載の照明装置。
【請求項１０】
前記受信部は、ユーザの通信端末から近接無線通信により前記照明パターンを受信する、請求項１に記載の照明装置。
【請求項１１】
前記制御部は、前記受信部により照明パターンを受信すると、当該照明パターンの送信者の属性に応じて、前記照明部の照明を制御する、請求項１に記載の照明装置。
【請求項１２】
前記受信部は、前記照明パターンと共に前記送信者の属性を受信する、請求項１１に記載の照明装置。
【請求項１３】
前記制御部は、前記送信者を撮影した撮影画像に基づいて、前記送信者の属性を認識する、請求項１１に記載の照明装置。
【請求項１４】
前記受信部は、前記照明パターンと共に課金情報を受信し、
前記制御部は、前記受信部により受信した前記課金情報に基づいて、料金支払いが行われていることを確認できた場合、前記照明パターンに応じた照明制御を行う、請求項１に記載の照明装置。
【請求項１５】
前記受信部は、前記照明パターンとしてユーザの音声を受信し、
前記制御部は、前記受信部により受信した前記音声のパターンに応じて、前記照明部の照明を制御する、請求項１に記載の照明装置。
【請求項１６】
前記受信部は、前記照明パターンとして映像データを受信し、
前記制御部は、前記受信部により受信した前記映像データのパターンに応じて、前記照明部の照明を制御する、請求項１に記載の照明装置。
【請求項１７】
コンピュータに、
デフォルトの照明パターンに応じて、照明部の照明を制御する処理と、
受信部により照明パターンを受信する処理と、
前記受信部により照明パターンを受信すると、前記デフォルトの照明パターンに応じた照明とは異なる照明制御を行う処理、
をコンピュータに実行させるための、プログラム。
【発明の詳細な説明】
【技術分野】
【０００１】
本開示は、照明装置およびプログラムに関する。
【背景技術】
【０００２】
一般的に、レストラン、バー、コンサート会場等に設置される複数の照明装置は、店または会場側でコントロールされ、複数の照明装置の照明が同期するよう制御することで、空間全体の調和をとっている。例えば、時間経過に応じて空間全体の照明の色を変化させたり、照明をＯＮ／ＯＦＦしたりといった照明制御が行われている。
【０００３】
ここで、照明制御は、時間経過に応じた制御の他、空間内で再生する音楽に応じて制御する場合もある。例えば、下記特許文献１では、オーディオ信号に応じたアンビエント照明の技術が開示されている。具体的には、特許文献１では、楽曲中の知覚できる変化に追随して照明を時間的に制御することが可能であり、シアター、シネマ、ディスコ、バー、レストラン、家庭内システムに適用される照明制御が開示されている。
【０００４】
また、下記特許文献２では、デジタルメディアサーバから伝送されてくるデジタルコンテンツをユーザの環境に合わせて再生するのに好適なスピーカが、照明装置と一体的に設けられ、照明の明るさに合わせた音環境を提供する技術が開示されている。具体的には、特許文献２に記載のスピーカ装置は、聴取者が就寝するために照明をある一定以上に暗くした場合、スピーカの音量を下げる制御を行う。
【０００５】
また、下記特許文献３では、建物の内部には必ずある各種照明装置（テーブルスタンド、フロアスタンド）のシェードやグローブにスピーカ機能を持たせる照明装置が開示されている。これにより、スピーカを設置するための特別なスペースや工事が不要となり、ユーザは気軽に音楽を再生することができる。
【先行技術文献】
【特許文献】
【０００６】
【特許文献１】特表２０１０−５０８６２６号公報
【特許文献２】特開２００８−３５１３３号公報
【特許文献３】特開２００９−１４１９２４号公報
【発明の概要】
【発明が解決しようとする課題】
【０００７】
しかしながら、上述したいずれの特許文献においても、レストランやバー等で空間全体の照明制御が行われている場合に、来店者毎に個別の照明制御に切り替える点については何ら開示されていない。来店者毎に個別に照明制御を切り替えることで、照明によるエンターテインメント性や、来店者の満足度を高めることができる。
【０００８】
そこで、本開示では、照明パターンの受信に応じて照明制御を切り替えることが可能な、新規かつ改良された照明装置およびプログラムを提案する。
【課題を解決するための手段】
【０００９】
本開示によれば、照明部と、受信部と、デフォルトの照明パターンに応じて、前記照明部の照明を制御する制御部と、を備え、前記制御部は、前記受信部により照明パターンを受信すると、前記デフォルトの照明パターンに応じた照明とは異なる照明制御を行う、照明装置を提案する。
【００１０】
本開示によれば、コンピュータに、デフォルトの照明パターンに応じて、照明部の照明を制御する処理と、受信部により照明パターンを受信する処理と、前記受信部により照明パターンを受信すると、前記デフォルトの照明パターンに応じた照明とは異なる照明制御を行う処理、をコンピュータに実行させるための、プログラムを提案する。
【発明の効果】
【００１１】
以上説明したように本開示によれば、照明パターンの受信に応じて照明制御を切り替えることが可能となる。
【図面の簡単な説明】
【００１２】
【図１】本開示の一実施形態による制御システムの概要を説明するための図である。
【図２】第１の実施形態による照明装置の構成を説明するためのブロック図である。
【図３】第１の実施形態による照明装置の動作処理を示すフローチャートである。
【図４】第２の実施形態による照明装置の構成を説明するためのブロック図である。
【図５】第２の実施形態による属性テーブルの一例を説明するための図である。
【図６】第２の実施形態による照明装置の動作処理を示すフローチャートである。
【図７】第３の実施形態による通信端末の表示部に表示される料金支払い画面の一例を示す図である。
【図８】第３の実施形態による照明装置の動作処理を示すフローチャートである。
【図９】第４の実施形態による制御システムの構成を説明するための図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態による制御システムの概要
２．各実施形態
２−１．第１の実施形態
２−２．第２の実施形態
２−３．第３の実施形態
２−４．第４の実施形態
３．まとめ
【００１５】
＜１．本開示の一実施形態による制御システムの概要＞
まず、本開示の一実施形態による制御システムの概要について、図１を参照して説明する。
【００１６】
図１は、本開示の一実施形態による制御システムの概要を説明するための図である。図１に示すように、本実施形態によるペンダントライト２Ａ、２Ｂ、２Ｃは、レストラン、バー、ラウンジ、喫茶店、クラブ等において、来店者が着席する各テーブルを照明するよう各々設置されている。
【００１７】
通常、レストラン等の公共の場に設置される複数の照明装置は、全て店側でコントロールされ、複数の照明装置の照明が同期するよう制御することで、空間全体の調和をとっている。また、レストラン等の公共の場に設置される複数のスピーカも、通常、全て店側でコントロールされ、複数のスピーカから同じ音楽やアナウンスを出力している。
【００１８】
しかしながら、レストラン等の店を訪れた来店者は、自分の好みに合った照明をして欲しいといった要望や、自分の好みに合った音楽をＢＧＭとして聞きたいといった要望がある場合が想定される。
【００１９】
そこで、上記事情を一着眼点にして本開示の各実施形態による制御システム（照明装置）を創作するに至った。本開示の各実施形態による制御システムは、照明パターンの受信に応じて照明制御を切り替えることができる。これにより、本制御システムは、照明によるエンターテインメント性や、来店者の満足度を高めることができる。
【００２０】
具体的には、本実施形態による照明装置が装着されたペンダントライト２Ａ〜２Ｃは、まず、店側で予め設定されたデフォルトの照明制御を行う。そして、ペンダントライト２Ａ〜２Ｃは、テーブルに着席した各ユーザが所持する通信端末１Ａ〜１Ｃ（例えば、携帯電話、スマートフォン、タブレット端末等）から照明パターンを受信すると、デフォルトとは異なる照明制御に各々切り替える。具体的には、例えばペンダントライト２Ａ〜２Ｃは、受信した照明パターンに応じた照明制御を行ってもよい。
【００２１】
ここで、通信端末から受信する照明パターンとは、オーディオ信号（音楽データを含む）、映像データ（動画）、ビデオデータ、ユーザの音声等の各コンテンツ情報であってもよい。
【００２２】
また、ペンダントライト２Ａ〜２Ｃは、各々スピーカを有していてもよく、照明パターンとして受信したオーディオ信号を当該スピーカから再生してもよい。
【００２３】
これにより、ユーザは、来店した店で、自分の席の照明を切り替えたり、自分の席で聞こえるＢＧＭを好みの音楽に変えたりすることができる。
【００２４】
以上、本開示の一実施形態における制御システムの概要について説明した。続いて、本実施形態による制御システムについて、複数の実施形態を挙げて詳細に説明する。
【００２５】
＜２．各実施形態＞
［２−１．第１の実施形態］
第１の実施形態による制御システムでは、各照明装置が独立して照明制御を行う場合について具体的に説明する。
【００２６】
（２−１−１．構成）
図２は、本実施形態による照明装置の構成を説明するためのブロック図である。図２に示すように、本実施形態による照明装置２０は、スピーカ内蔵型電球であって、ペンダントライト２の他、スタンドライトやテーブルライト等、様々なタイプのライトに用いられる。このように、屋内にほぼ必ず設置されている照明装置に再生装置（スピーカ）を内蔵させることで、再生装置のためのスペースを別途設ける必要がなくなり、スペースの有効活用ができる。
【００２７】
さらに、本実施形態による照明装置２０は、図２に示すように、制御部２１、スピーカ２２、照明部２３、受信部２５、および記憶部２７を有する。
【００２８】
（記憶部）
記憶部２７は、デフォルトの照明パターンや、デフォルトのオーディオ信号を記憶する。また、このようなデフォルトの照明パターンやオーディオ信号は、予め照明装置２０の設置者により設定される。また、記憶部２７は、カード型メモリ等のフラッシュメモリであって、照明装置２０に着脱可能に設けられていてもよい。
【００２９】
（受信部）
受信部２５は、外部からデータを受信する機能を有する。また、本実施形態による受信部２５は、ユーザが所持する通信端末１から照明パターンを受信する。具体的には、例えば受信部２５は、無線ＬＡＮ、Ｂｌｕｅｔｏｏｔｈ（登録商標）、Ｗｉ−Ｆｉ、赤外線通信等の近接無線通信により、空間的に近い位置に存在する通信端末１から照明パターンを受信してもよい。
【００３０】
（スピーカ）
スピーカ２２は、オーディオ信号を出力（再生）する機能を有するオーディオ再生部である。本実施形態によるスピーカ２２は、制御部２１の制御に応じて、受信部２５が通信端末１から照明パターンとして受信したオーディオ信号を再生してもよい。また、本実施形態によるスピーカ２２は、超音波を利用した超指向性スピーカであってもよい。この場合、スピーカ２２は、例えばオーディオ信号を送信したユーザが着席するテーブルの周囲のみで聴こえるようオーディオ信号を再生することができる。これにより、各テーブルに着席するユーザが各々自分の好みに応じたオーディオ信号を照明装置２０に送信して複数の照明装置２０で異なるオーディオ信号が再生されていても、音が混ざって騒音になることを防止することができる。
【００３１】
（照明部）
照明部２３は、制御部２１の制御に応じて発光する機能を有する。例えば、本実施形態による照明部２３は、ＬＥＤ（Ｌｉｇｈｔ  Ｅｍｉｔｔｉｎｇ  Ｄｉｏｄｅ）ランプ、白熱電球、またはＨＩＤ（Ｈｉｇｈ  Ｉｎｔｅｎｓｉｔｙ  Ｄｉｓｃｈａｒｇｅ）ランプ等により実現される。また、図２に示す例では、本実施形態による照明部２３が、スピーカ２２の周囲を一周するよう複数配置されている。
【００３２】
（制御部）
制御部２１は、照明装置２０の各構成を制御する機能を有する。具体的には、本実施形態による制御部２１は、まず、記憶部２７に記憶されているデフォルトの照明パターンにしたがって、照明部２３の明るさ、色、ＯＮ／ＯＦＦ等を制御する（照明制御）。また、制御部２１は、記憶部２７に記憶されているデフォルトのオーディオ信号をスピーカ２２から再生するよう制御する。なお、制御部２１は、所定のアンテナから受信したオーディオ信号を、デフォルトのオーディオ信号として扱ってもよい。また、デフォルトの照明パターンは、記憶部２７に記憶されているものに限定されず、単に点灯を継続するものであってもよい。
【００３３】
また、制御部２１によるデフォルトの照明パターンにしたがった照明や、デフォルトのオーディオ信号の再生は、周囲に設置されている他の照明装置における照明制御や再生制御と同期する。具体的には、複数の照明装置において、各制御部２１が所定のタイマーに合わせて照明制御や再生制御することで、結果的に同期制御を実現してもよいし、複数の照明装置が互いに通信して同期制御してもよい。また、制御部２１は、複数の照明装置を管理する制御装置からの同期信号に応じて、同期制御してもよい。
【００３４】
照明パターンは、例えば下記の表１または表２に示すような照明パターンであってもよい。制御部２１は、かかる照明パターンにしたがって、照明部２３の照明を制御する。
【００３５】
【表１】
2014053180.tif 000003
【００３６】
【表２】
2014053180.tif 000004
【００３７】
また、制御部２１は、受信部２５によりユーザの通信端末１から照明パターンを受信した場合、デフォルトの照明制御とは異なる照明制御を行う。具体的には、制御部２１は、照明の色、明るさ、またはＯＮ／ＯＦＦ等を変化させてもよい。これにより、例えばデフォルトの照明制御として全ての照明装置が白色の照明を行っている場合、ユーザが通信端末１から照明パターンを送信することで、ユーザが座っている席の照明装置だけ、青、ピンク、赤、黄色等のカラー照明に切り替えることができる。
【００３８】
さらに、制御部２１は、受信した照明パターンに応じた照明制御を行ってもよい。例えば、照明パターンとしてオーディオ信号を受信した場合、当該オーディオ信号をスピーカ２２から再生すると共に、オーディオ信号のメロディやリズムに合わせて、照明の色、明るさ、ＯＮ／ＯＦＦを切り替えてもよい。これにより、オーディオ信号を聴覚的および視覚的に表現でき、音と光が一体化した質の高いエンターテインメントを提供することができる。
【００３９】
以上、本実施形態による照明装置２０の具体的な構成について詳細に説明した。続いて、本実施形態による照明装置２０の動作処理について図３を参照して説明する。
【００４０】
（２−１−２．動作処理）
図３は、本実施形態による照明装置２０の動作処理を示すフローチャートである。図３に示すように、まず、ステップＳ１０３において、照明装置２０の制御部２１は、記憶部２７に記憶されているデフォルトの照明パターンにしたがって、照明部２３の照明を制御する。
【００４１】
次いで、ステップＳ１０６において、制御部２１は、記憶部２７に記憶されているデフォルトのオーディオ信号をスピーカ２２から再生するよう制御する。なお、ステップＳ１０３とＳ１０６は並列して処理されてもよい。
【００４２】
次に、ステップＳ１０９において、制御部２１は、受信部２５が、ユーザの通信端末１から照明パターンとしてオーディオ信号を受信したか否かを判断する。
【００４３】
次に、オーディオ信号を受信した場合（Ｓ１０９／Ｙｅｓ）、ステップＳ１１２において、制御部２１は、照明部２３の照明をデフォルトの照明と異なる照明に切り替える。具体的には、上述したように、制御部２１は、デフォルトの照明と異なる明るさ、色、ＯＮ／ＯＦＦ制御を行う。また、制御部２１は、受信したオーディオ信号のメロディやリズムに合わせて照明部２３の照明（明るさ、色、ＯＮ／ＯＦＦ等）を制御してもよい。
【００４４】
次いで、ステップＳ１１５において、制御部２１は、受信部２５がユーザの通信端末１から受信した上記オーディオ信号を、スピーカ２２から再生するよう制御する。なお、ステップＳ１１２とＳ１１５は並列して処理されてもよい。
【００４５】
以上、第１の実施形態について詳細に説明した。これによれば、本実施形態による照明装置２０は、ユーザの通信端末１から照明パターンを受信した場合、他の照明装置と同期するデフォルトの照明を切り替えて、デフォルトの照明とは異なる照明を行うことで、ユーザに特別な照明サービスを提供することができる。
【００４６】
また、本実施形態による照明装置２０は、スピーカ２２を内蔵する。これにより、照明装置２０は、通信端末１から受信したオーディオ信号を照明パターンとして捉え、オーディオ信号に応じた照明を行うと共に、スピーカ２２から再生することで、光と音が連動するサービスを提供することができる。
【００４７】
［２−２．第２の実施形態］
以上説明した第１の実施形態では、制御部２１が、デフォルトの照明と異なる照明の制御の一例として、オーディオ信号のメロディやリズムに応じた照明制御を行う旨を説明した。しかしながら、本開示の制御部２１によるデフォルトの照明と異なる照明の制御とは、第１の実施形態で説明した照明制御に限定されない。例えば、制御部２１は、オーディオ信号の送信者の属性に応じた照明制御を行ってもよい。以下、このように送信者の属性に応じた照明制御を行う照明装置２０’について詳細に説明する。
【００４８】
（２−２−１．構成）
図４は、第２の実施形態による照明装置２０’の構成を説明するためのブロック図である。図４に示すように、本実施形態による照明装置２０’は、制御部２１’、スピーカ２２、照明部２３、受信部２５、記憶部２７、および撮影部２８を有する。スピーカ２２、照明部２３、および受信部２５は、図２を参照して説明した第１の実施形態による照明装置２０の各構成と同様であるので、ここでの説明は省略する。
【００４９】
（記憶部）
記憶部２７’は、上述した記憶部２７と同様に、デフォルトの照明パターンや、デフォルトのオーディオ信号を記憶する。さらに、本実施形態による記憶部２７’は、送信者の属性と照明制御内容を対応付けた属性テーブルを記憶する。ここで、本実施形態による属性テーブルの一例について図５を参照して説明する。
【００５０】
図５は、第２の実施形態による属性テーブル２７１の一例を説明するための図である。図５に示すように、属性テーブル２７１は、送信者の属性と照明パターンが対応付けられたテーブルである。送信者の属性とは、例えば送信者が一人で着席している場合は「一人」、送信者を含むグループで着席している場合、グループの構成に応じて、「カップル」、「男性同士」、「女性同士」、「家族」「その他グループ（複数の男女等）」となる。
【００５１】
また、図５に示すように、各属性には、各々異なる照明パターンが対応付けられている。照明パターンとは、例えば照明の明るさ、色、ＯＮ／ＯＦＦ制御等を行うためのパターンである。例えば、属性が「一人」の場合、照明の明るさをデフォルトの明るさより暗くしたり、照明の色をオレンジ色に切り替えたりする照明パターン１が対応付けられている。また、属性が「カップル」の場合、照明の色をピンク色に切り替えたり、ハート柄を投影したりする照明パターン２が対応付けられている。また、属性が「男性同士」の場合、照明の明るさをデフォルトの明るさより明るくしたり、照明の色を青色に切り替えたりする照明パターン３が対応付けられている。このように、属性テーブル２７１では、送信者の属性に応じた雰囲気を演出する照明パターンが対応付けられている。
【００５２】
（撮影部２８）
撮影部２８は、撮像素子、撮像レンズを含む撮像光学系、および撮影画像信号処理部を含み、デジタル信号とされた撮影画像のデータを出力する。なお、撮像素子は、例えばＣＣＤ（Ｃｈａｒｇｅ  Ｃｏｕｐｌｅｄ  Ｄｅｖｉｃｅ）イメージャやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャにより実現される。本実施形態による撮影部２８は、照明装置２０’が照明するテーブルに着席している来店者を撮影することができる。
【００５３】
（制御部）
制御部２１’は、照明装置２０’の各構成を制御する機能を有する。具体的には、本実施形態による制御部２１’は、上述した制御部２１と同様に、まず、記憶部２７に記憶されているデフォルトの照明パターンにしたがって、照明部２３の照明を制御したり、デフォルトのオーディオ信号をスピーカ２２から再生制御したりする。
【００５４】
また、制御部２１は、受信部２５によりユーザの通信端末１から照明パターンを受信した場合、デフォルトの照明制御とは異なる照明制御を行う。ここで、本実施形態による制御部２１は、記憶部２７’に記憶されている属性テーブル２７１を参照し、照明パターンを送信したユーザ（送信者）の属性に応じた照明制御を行う。制御部２１’は、送信者の属性を、例えば撮影部２８により送信者を撮影した撮影画像に基づいて認識する。また、ユーザが通信端末１から自分の属性（生体情報、ユーザＩＤ、カップル、家族等）を照明パターンと共に照明装置２０’に送信する場合も想定される。この場合、制御部２１’は、受信部２５により照明パターンと共に送信者の属性を受信し、受信した属性に基づいて照明制御を行う。
【００５５】
以上、本実施形態による照明装置２０’の具体的な構成について詳細に説明した。続いて、本実施形態による照明装置２０’の動作処理について図６を参照して説明する。
【００５６】
（２−２−２．動作処理）
図６は、本実施形態による照明装置２０’の動作処理を示すフローチャートである。図６に示すように、まず、ステップＳ１０３、Ｓ１０６において、照明装置２０の制御部２１’は、デフォルトの照明制御および再生制御を行う。
【００５７】
次に、ステップＳ１０９において、制御部２１’は、受信部２５が、ユーザの通信端末１から照明パターンとしてオーディオ信号を受信したか否かを判断する。
【００５８】
次いで、オーディオ信号を受信した場合（Ｓ１０９／Ｙｅｓ）、ステップＳ１１０において、制御部２１’は、送信者の属性を判断する。具体的には、制御部２１’は、撮影部２８により送信者を撮影した撮影画像を解析することにより、送信者の属性を判断してもよいし、照明パターンと共に受信した送信者の属性を用いて判断してもよい。
【００５９】
続いて、ステップＳ１１１において、制御部２１’は、属性テーブル２７１を参照し、送信者の属性に応じて照明部２３の照明を制御する。
【００６０】
次に、ステップＳ１１５において、制御部２１は、受信部２５がユーザの通信端末１から受信した上記オーディオ信号を、スピーカ２２から再生するよう制御する。なお、ステップＳ１１１とＳ１１５は並列して処理されてもよい。
【００６１】
以上、第２の実施形態について詳細に説明した。これによれば、本実施形態による照明装置２０’は、ユーザの通信端末１から照明パターンを受信した場合、ユーザ（送信者）の属性に応じて照明を制御するので、各ユーザに合った雰囲気を照明で演出することができる。また、同じオーディオ信号を照明装置２０’に送信した場合にも、ユーザの属性によって異なる照明の演出がなされるので、各ユーザが自分のための照明と感じて楽しむことができる。
【００６２】
［２−３．第３の実施形態］
上述した各実施形態では、ユーザが任意のオーディオ信号を店に設置されているスピーカ内蔵型の照明装置２０、２０’から再生して楽しむことができるが、この際、店側が照明装置２０、２０’の利用料金をユーザに課す場合も想定される。以下、このように照明装置２０の利用料金をユーザに課す場合について詳細に説明する。
【００６３】
（２−３−１．課金方法）
照明装置２０の利用料金の支払いタイミングや支払い方法は様々あるが、例えば、本実施形態による照明装置２０は、照明装置２０の利用料金が支払われたことを条件に、照明制御や再生制御を行ってもよい。
【００６４】
例えば、通信端末１に料金支払い画面が表示され、ユーザが料金支払いを承認すると、料金支払いを示す課金情報と共にオーディオ信号が通信端末１から照明装置２０に送信されるようにしてもよい。ここで、図７に料金支払い画面の一例を示す。図７に示すように、通信端末１の表示部１２には、ユーザが選択したオーディオ信号を示す曲名と、照明装置２０の利用料金と、ＯＫ（承認）ボタン１３と、キャンセルボタン１４が表示される。
【００６５】
ユーザは、照明装置２０の料金支払いを承認する場合、ＯＫボタン１３をタップする。すると通信端末１は、選択されたオーディオ信号および課金情報を照明装置２０に送信する。照明装置２０の利用料金は、例えばインターネット決済であってもよいし、通信端末１の月々の利用料金に加算されてもよい。
【００６６】
（２−３−２．動作処理）
次に、本実施形態の動作処理について図８を参照して説明する。図８は、第３の実施形態による照明装置２０の動作処理を示すフローチャートである。
【００６７】
図８に示すように、まず、ステップＳ１０３、Ｓ１０６において、照明装置２０の制御部２１は、デフォルトの照明制御および再生制御を行う。
【００６８】
次に、ステップＳ１０９において、制御部２１は、受信部２５が、ユーザの通信端末１から照明パターンとしてオーディオ信号を受信したか否かを判断する。
【００６９】
次いで、オーディオ信号を受信した場合（Ｓ１０９／Ｙｅｓ）、ステップＳ１２０において、制御部２１は、照明装置２０の利用料金が課金済み（支払済み）であるか否かを判断する。具体的には、制御部２１は、オーディオ信号と共に通信端末１から課金情報を受信した場合、当該課金情報に基づいて課金済みであるか否かを判断してもよい。
【００７０】
続いて、課金済みであると判断した場合（Ｓ１２０／Ｙｅｓ）、ステップＳ１１２において、制御部２１は、照明部２３の照明をデフォルトの照明と異なる照明に切り替える。
【００７１】
次に、ステップＳ１１５において、制御部２１は、受信部２５がユーザの通信端末１から受信した上記オーディオ信号を、スピーカ２２から再生するよう制御する。なお、ステップＳ１１２とＳ１１５は並列して処理されてもよい。
【００７２】
以上、第３の実施形態について詳細に説明した。これによれば、本実施形態による照明装置２０は、利用料金が支払われたことを条件として、デフォルトと異なる照明制御や再生制御を行うことができる。
【００７３】
［２−４．第４の実施形態］
上述した各実施形態は、複数の照明装置２０、２０’が店に設置されている場合も、各照明装置２０が独立して照明制御を行う場合について説明した。しかしながら本実施形態による制御システムは、上述した制御部２１、２１’に相当する機能が、照明装置２０、２０’の外部にある構成であってもよい。以下、図９を参照して具体的に説明する。
【００７４】
図９は、第４の実施形態による制御システムの構成を説明するための図である。図９に示すように、本実施形態による制御システムは、複数の照明装置４０Ａ、４０Ｂ、４０Ｃと、制御装置３を含む。なお、照明装置は単数であってもよい。
【００７５】
照明装置４０Ａ、４０Ｂ、４０Ｃは、店内において、各テーブルを照明するようされている。以下、各照明装置を区別して説明する必要がない場合、照明装置４０と総称する。
【００７６】
本実施形態による照明装置４０は、図９に示すように、スピーカ４２、複数の照明部４３、および受信部４５を有する。スピーカ４２、照明部４３、および受信部４５は、上記第１の実施形態において説明したスピーカ２２、照明部２３、および受信部２５と同様である。
【００７７】
制御装置３は、制御部３１および記憶部３２を有する。制御部３１は、複数の照明装置４０Ａ、４０Ｂ、４０Ｃを各々制御することができる。また、制御部３１は、上述した制御部２１または制御部２１’と同様の機能を有する。
【００７８】
記憶部３２は、上述した記憶部２７と同様に、デフォルトの照明パターンやデフォルトのオーディオ信号、また、属性テーブル２７１を記憶する。
【００７９】
これにより制御装置３は、照明装置４０Ａ〜４０Ｃに対し、まずデフォルトの照明パターンにしたがって照明するよう制御する。そして、各照明装置４０Ａ〜４０Ｃのうち、受信部３５によりユーザの通信端末からオーディオ信号を受信した照明装置４０のみ、デフォルトの照明と異なる照明に切り替えるよう制御する。
【００８０】
このように、第４の実施形態による制御システムでは、スピーカ内蔵型電球である照明装置４０が制御部を有さない場合でも、外部の制御装置により照明装置４０を制御し、上記第１〜第３の実施形態に示す動作処理を実現することが可能である。
【００８１】
＜３．まとめ＞
上述したように、本実施形態による照明装置（制御システム）では、照明パターンの受信に応じて照明制御を切り替えることができる。
【００８２】
より具体的には、本実施形態による照明装置２０は、まず、デフォルトの照明パターンにしたがって、他の照明装置と同期するよう照明制御を行う。そして、照明装置２０は、ユーザの通信端末１から照明パターンを受信した場合、デフォルトの照明とは異なる照明に切り替えるよう制御する。これにより、例えばレストラン等において、複数の照明装置２０が店側で設定されたデフォルトの照明を行っている場合に、ユーザの任意で、近傍の照明装置２０の照明を切り替えることができる。
【００８３】
また、本実施形態による照明装置２０はスピーカ内蔵型の電球であって、ユーザが通信端末１から任意のオーディオ信号を送信すると、照明装置２０は、当該オーディオ信号をスピーカ２２から再生するよう制御する。これにより、例えばレストラン等で所定の音楽が再生されている場合に、ユーザは、好みに応じたオーディオ信号を自分の通信端末１から近傍の照明装置２０に送信して再生させ、楽しむことができる。
【００８４】
また、本実施形態による照明装置２０は、ユーザの属性に応じた照明制御や、受信したオーディオ信号に応じた照明制御を行うことで、レストラン等の多くのユーザが利用する場所であっても、各ユーザに個別の照明を演出することができる。
【００８５】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８６】
例えば、通信端末１は、無音を示す信号を照明装置２０に送信してもよい。この場合、照明装置２０は、スピーカ２２からのデフォルトのオーディオ信号の再生を停止する。これによりユーザは、近傍に位置するスピーカ内蔵型の照明装置２０から流れる店のＢＧＭを停止させ、同席者との話に集中することができる。
【００８７】
また、本実施形態による制御部２１は、上述したように、照明パターンとしてユーザの音声や、映像データ、ビデオを受信してもよい。この場合、制御部２１は、音声のボリュームや周波数、映像の動きベクトルに応じて、照明部２３の照明を制御してもよい。
【００８８】
また、第３の実施形態では、ユーザの通信端末１に料金支払い画面が表示され、後にインターネット決済される場合等について説明したが、本実施形態はこれに限定されない。例えば電子マネー等により、その場で（店で）決済し、店側の通信端末から課金済みを示す課金情報を照明装置２０に送信してもよい。
【００８９】
さらに、本実施形態による照明装置２０は、オーディオ信号の再生制御を、照明制御と連動せずに行ってもよい。具体的には、本実施形態による照明装置２０は、ユーザの通信端末１から受信した指示に応じて、通信端末１から受信したオーディオ信号の再生や、再生音量の調整等を行ってもよい。
【００９０】
なお、本技術は以下のような構成も取ることができる。
（１）
照明部と、
受信部と、
デフォルトの照明パターンに応じて、前記照明部の照明を制御する制御部と、
を備え、
前記制御部は、前記受信部により照明パターンを受信すると、前記デフォルトの照明パターンに応じた照明とは異なる照明制御を行う、照明装置。
（２）
前記制御部による前記デフォルトの照明パターンに応じた前記照明部の照明制御は、他の照明部の照明制御と略同期した照明制御である、前記（１）に記載の照明装置。
（３）
前記制御部は、前記受信部により受信した照明パターンに応じて、少なくとも照明のＯＮ／ＯＦＦ、照明の色、または照明の明るさを制御する、前記（１）または（２）に記載の照明装置。
（４）
前記デフォルトの照明パターンは、予め所定の記憶媒体に記憶されている、前記（１）〜（３）のいずれか１項に記載の照明装置。
（５）
前記照明装置は、オーディオ再生部をさらに備え、
前記受信部は、オーディオ信号を受信し、
前記制御部は、前記受信部により受信した前記オーディオ信号を前記オーディオ再生部から出力させるよう制御する、前記（１）〜（４）のいずれか１項に記載の照明装置。
（６）
前記照明装置は、オーディオ再生部をさらに備え、
前記受信部は、前記照明パターンとしてオーディオ信号を受信し、
前記制御部は、前記受信部により受信した前記オーディオ信号のパターンに応じて、前記照明部の照明を制御し、さらに前記オーディオ信号を前記オーディオ再生部から出力させるよう制御する、前記（１）〜（５）のいずれか１項に記載の照明装置。
（７）
前記受信部は、前記オーディオ信号と共に課金情報を受信し、
前記制御部は、前記受信部により受信した前記課金情報に基づいて、料金支払いが行われていることを確認できた場合、前記オーディオ信号のパターンに応じた照明制御および前記オーディオ信号の出力制御を行う、前記（６）に記載の照明装置。
（８）
前記照明装置は、スピーカ内蔵型の電球である、前記（６）または（７）に記載の照明装置。
（９）
前記受信部は、近傍にあるユーザの通信端末から前記照明パターンを受信する、前記（１）〜（８）のいずれか１項に記載の照明装置。
（１０）
前記受信部は、ユーザの通信端末から近接無線通信により前記照明パターンを受信する、前記（１）〜（８）のいずれか１項に記載の照明装置。
（１１）
前記制御部は、前記受信部により照明パターンを受信すると、当該照明パターンの送信者の属性に応じて、前記照明部の照明を制御する、前記（１）〜（１０）のいずれか１項に記載の照明装置。
（１０）
前記受信部は、前記照明パターンと共に前記送信者の属性を受信する、前記（１１）に記載の照明装置。
（１２）
前記制御部は、前記送信者を撮影した撮影画像に基づいて、前記送信者の属性を認識する、前記（１１）または（１２）に記載の照明装置。
（１４）
前記受信部は、前記照明パターンと共に課金情報を受信し、
前記制御部は、前記受信部により受信した前記課金情報に基づいて、料金支払いが行われていることを確認できた場合、前記照明パターンに応じた照明制御を行う、前記（１）〜（１３）のいずれか１項に記載の照明装置。
（１５）
前記受信部は、前記照明パターンとしてユーザの音声を受信し、
前記制御部は、前記受信部により受信した前記音声のパターンに応じて、前記照明部の照明を制御する、前記（１）〜（１４）のいずれか１項に記載の照明装置。
（１６）
前記受信部は、前記照明パターンとして映像データを受信し、
前記制御部は、前記受信部により受信した前記映像データのパターンに応じて、前記照明部の照明を制御する、前記（１）〜（１４）のいずれか１項に記載の照明装置。
（１７）
コンピュータに、
デフォルトの照明パターンに応じて、照明部の照明を制御する処理と、
受信部により照明パターンを受信する処理と、
前記受信部により照明パターンを受信すると、前記デフォルトの照明パターンに応じた照明とは異なる照明制御を行う処理、
をコンピュータに実行させるための、プログラム。
【符号の説明】
【００９１】
１、１Ａ〜１Ｃ    通信端末
１２    表示部
１３    ＯＫボタン
１４    キャンセルボタン
２、２Ａ〜２Ｃ    ペンダントライト
２０、２０’、４０    照明装置
２１、２１’、３１    制御部
２２、４２    スピーカ
２３、４３    照明部
２５、４５    受信部
２７、２７’、３２    記憶部
２８    撮影部
３      制御装置
【図１】
2014053180.tif 000005
【図２】
2014053180.tif 000006
【図３】
2014053180.tif 000007
【図４】
2014053180.tif 000008
【図５】
2014053180.tif 000009
【図６】
2014053180.tif 000010
【図７】
2014053180.tif 000011
【図８】
2014053180.tif 000012
【図９】
2014053180.tif 000013